(57)【要約】【課題】木材等の被処理木材を皮むきや粉砕など、種々処理する木材処理装置において、当初から被処理木材に含まれている不都合の原因となる得る夾雑物を排除できるようにして、装置の破損防止や夾雑物のない処理品の確保ができるようにする。【解決手段】被処理木材Ｗを引っ掛けるノッチ７が外周面に複数突設されて横軸まわりで回転可能とされたメインロータ２と、このメインロータ２によって巻き上げられる被処理木材Ｗを適宜処理する加工部３とを有する木材処理装置において、メインロータ２の隣接位置にこれとは相対逆回転するサブロータ１０が設けられており、これらメインロータ２とサブロータ１０との隣接間には被処理木材Ｗに対する夾雑物を排除可能なロータギャップＧが形成されている。【選択図】      図１
2004154956.tif 000002
【特許請求の範囲】
【請求項１】
被処理木材（Ｗ）を引っ掛けるノッチ（７）が外周面の周方向及び軸方向に所定間隔をおいて複数突設されて横軸まわりで回転可能とされたメインロータ（２）と、このメインロータ（２）によって巻き上げられる被処理木材（Ｗ）をこのメインロータ（２）との間で適宜処理する加工部（３）とを有する木材処理装置において、
上記メインロータ（２）の隣接位置にこのメインロータ（２）とは相対逆回転することでメインロータ（２）による被処理木材（Ｗ）の巻き上げを補助するサブロータ（１０）が設けられており、
これらメインロータ（２）とサブロータ（１０）との隣接間には被処理木材（Ｗ）に含まれる夾雑物を排除可能なロータギャップ（Ｇ）が形成されていることを特徴とする木材処理装置。
【請求項２】
前記サブロータ（１０）は、軸方向の一端側を低レベル化して傾斜されており、この低レベル側の端部寄りに前記ロータギャップ（Ｇ）では排除しきれなかった夾雑物の吐き出し部（１６）が設けられていることを特徴とする請求項１記載の木材処理装置。
【請求項３】
前記サブロータ（１０）の下方部に、メインロータ（２）とサブロータ（１０）とのロータギャップ（Ｇ）から落下する夾雑物を受け取って装置外へ搬出する夾雑物コンベア（１３）が設けられていることを特徴とする請求項１又は請求項２記載の木材処理装置。
【発明の詳細な説明】
【０００１】
【発明の属する技術分野】
本発明は、木材処理装置に関するものである。
【０００２】
【従来の技術】
丸太材から皮を剥く装置や、丸太材から角材を切り出した後に残る平べったい長尺材から皮を剥く装置などは公知である（特許文献１〜３等参照）。また、製材工場などから排出される木皮や破材、その他の木材屑を数片の粗片に砕いたり、チップ状にまで粉砕したりする装置なども公知である（例えば特許文献４及び５等参照）。
【０００３】
【特許文献１】
特開昭６３−３０２００３号公報
【特許文献２】
特開昭６３−２０５号公報参照
【特許文献３】
特開平１０−２３０５０４号公報
【特許文献４】
特開２０００−６１３３７号公報
【特許文献５】
特開平９−１２３１２４号公報
【０００４】
【発明が解決しようとする課題】
上記したような木材を種々に加工する装置類（以下、「木材処理装置」と言う）では、投入される被処理木材が常に、純粋に、木材類だけに選別されているわけではない。
例えば、製材工場などで排出される木皮などは、一旦は屋外に山積み状に蓄積された状態とされ、そのうえでフォークリフトなどですくい上げられて所定の木材処理装置又はそこへ至る供給コンベアへと送り込まれるようになるために、石等の夾雑物が含まれていることが多いということがあった。
【０００５】
このような状態で木材処理装置を稼働させると、当然に、装置中の刃物などにおいて破損の原因になるし、また処理後に得られる破砕物乃至粉砕物等の処理品には夾雑物が混入した状態となってしまうために、この処理品を二次製品とするにしても、或いは更なる粉砕工程や焼却工程等へ送るにしても、種々様々な不都合を惹起させるということがあった。
本発明は、上記事情に鑑みてなされたものであって、木材等の被処理木材を種々処理するに際して、当初から被処理木材に含まれている不都合の原因となる得る夾雑物を排除できるようにして、装置の破損防止や夾雑物のない処理品の確保ができるようにした木材処理装置を提供することを目的とする。
【０００６】
【課題を解決するための手段】
前記目的を達成するために、本発明は次の手段を講じた。
即ち、本発明に係る木材処理装置１は、被処理木材Ｗを引っ掛けるノッチ７が外周面の周方向及び軸方向に所定間隔をおいて複数突設されて横軸まわりで回転可能とされたメインロータ２と、このメインロータ２によって巻き上げられる被処理木材Ｗをこのメインロータ２との間で適宜処理する加工部３とを有している。
【０００７】
この加工部（３）の構造によって、皮剥き、粗片への砕き、或いはもっと細かい粉砕といった各種処理ができることになる。
そして、メインロータ２の隣接位置にこのメインロータ２とは相対逆回転することでメインロータ２による被処理木材Ｗの巻き上げを補助するサブロータ１０が設けられている。
また、これらメインロータ２とサブロータ１０との隣接間には、被処理木材Ｗに含まれる夾雑物を排除可能なロータギャップＧが形成されている。
【０００８】
このような構成であると、被処理木材Ｗに夾雑物が含まれていたとしても、この夾雑物は両ロータ間のロータギャップＧから落下し、被処理木材Ｗから排除されることになる。
そのため、メインロータ２と加工部３との間では、夾雑物の含まれない被処理木材Ｗだけの状態となり、メインロータ２に設けられているノッチ７や加工部３が夾雑物によって破損するということは防止される。
また当然に、メインロータ２と加工部３との間を経て取り出される処理品には夾雑物が含まれていないので、この処理品を二次製品とするにしても、或いは更なる粉砕工程や焼却工程等へ送るにしても、何ら不都合は生じない。
【０００９】
サブロータ１０は、軸方向の一端側を低レベル化して傾斜させておくのが好適である。
このようにすることで、例えば大きな夾雑物等、メインロータ２とサブロータ１０との間のロータギャップＧをできない夾雑物を、サブロータ１０の低レベル側の端部へと誘導することができる。
そこで、この低レベル側の端部寄りに、ロータギャップＧでは排除しきれなかった夾雑物の吐き出し部１６を設けておけばよいことになる。
【００１０】
なお、サブロータ１０の下方部に、メインロータ２とサブロータ１０とのロータギャップＧから落下する夾雑物を受け取って装置外へ搬出する夾雑物コンベア１３を設けておくのが好適である。
このようにすることで、サブロータ１０の下方スペースを有効利用することができる。また一方で、メインロータ２の下方スペースは、メインロータ２と加工部３とで処理された処理品を搬出するための処理品コンベア８用設置スペースに譲る（有効利用させる）ことができることになる。
【００１１】
【発明の実施の形態】
以下、本発明の実施の形態を、図面に基づき説明する。
図２及び図３は、本発明に係る木材処理装置１の一実施形態を示している。
この粉砕装置１は、横軸まわりで回転可能とされたメインロータ２と、これに付設された加工部３とを有している。
図３から明らかなように、メインロータ２にはモータ４が接続されており、図２中の反時計回り方向へ回転駆動される。
【００１２】
加工部３は、メインロータ２との間で被処理木材Ｗを適宜処理できるようになったものである。
例えば、被処理木材Ｗが丸太材や、丸太材から角材を切り出した後に残る平べったい長尺材である場合、この加工部３は被処理木材Ｗから皮を剥くものとされ、また被処理木材Ｗが木皮や破材、その他の木材屑である場合には、この加工部３は被処理剤Ｗを数片の粗片又はチップ状に破砕乃至粉砕するものとされている。
【００１３】
本実施形態では破砕乃至粉砕をするものとして例示してあり、そのため図４に示すようにこの加工部３は、メインロータ２の真上にその回転軸心に平行して架設された枢軸６から回転軸心へ向けて多数本の破砕刃５が櫛状に突き出したものとなっている。
なお、このような破砕刃５は、被処理木材Ｗの噛み込みなどによって過度の抵抗が負荷したときには逃げ動作ができるように、枢軸６を中心として揺動自在に設けておくのが好適である。
【００１４】
メインロータ２には、その外周面に複数のノッチ７が突設されている。このノッチ７は、被処理木材Ｗを引っ掛けるためのものであって、メインロータ２の外周面に対してその周方向及び軸方向の双方で互いに所定間隔をおくように配置されている。これにより、被処理木材Ｗを巻き上げつつ加工部３へと送り込むようになっている。
図例のノッチ７は扇形状としてあるが、この形状や形成数、配置（配置密度）等は、被処理木材Ｗの大きさや形状などに応じて適宜変更すればよい。
【００１５】
ただ、このノッチ７がメインロータ２の回転軸心方向で一列に揃った位置付けであり且つメインロータ２の回転軸心方向での隣接間隔が狭い場合には、これらノッチ７により、被処理木材Ｗに含まれる夾雑物をすくい上げてしまう可能性が高くなる。そのため、このように回転軸心方向で一列に揃わせ、隣接間隔を狭くするといったことは避けて、例えば周方向へ位置ズレさせる等の配置（図４参照）とすることが好ましい。
メインロータ２の下方には処理品コンベア８が設けられており、加工部３によって処理された処理品がガイド９によってこの処理品コンベア８上へ集められ、この処理品コンベア８によって装置外へ搬出されるようになっている。
【００１６】
これら処理品コンベア８及びガイド９は、メインロータ２の全長にわたる長さを有して設けられている。
メインロータ２の隣接位置にはサブロータ１０が設けられている。
このサブローラ１０は、平面視した状態ではメインロータ２と互いの回転軸心を平行させた状態となっているが、側面視した状態では一端側が低位となるように傾斜させた状態で設けられている。
なお、メインロータ２は略水平状態とされている。
【００１７】
そして、図３から明らかなように、このサブローラ１０にはモータ１１が接続されており、図２中の時計回り方向へ回転駆動される。
このように、このサブローラ１０の回転方向は上記したメインロータ２とは相対逆回転の関係にある。また、これらの回転方向の関係から、メインロータ２が被処理木材Ｗを巻き上げようとするのに対してサブロータ１０がこれを補助するようになっている。
このサブロータ１０には、被処理木材Ｗが横からこぼれ落ちるのを防止するために、その外周面の真上部分で起立するようにして寄せ板１２が付設されている。
【００１８】
図１に示すように、メインロータ２とサブロータ１０との隣接間には、所定のロータギャップＧが形成されている。このロータギャップＧは、被処理木材Ｗに含まれる石等の夾雑物を排除するためのものである。
そして、これらメインロータ２とサブロータ１０との隣接間下方部には、夾雑物コンベア１３が設けられており、ロータギャップＧから落下する夾雑物がガイド１４によってこの夾雑物コンベア１３上へ集められ、この夾雑物コンベア１３によって装置外へ搬出されるようになっている。
【００１９】
これら夾雑物コンベア１３及びガイド１４は、ロータギャップＧの全長にわたる長さを有して設けられている。
ただ、このロータギャップＧは、被処理木材Ｗに含まれている全ての夾雑物を排除するという意味ではない。すなわち、このロータギャップＧから被処理木材Ｗ自体が落下することは避けなければならないので、結果としてこの被処理木材Ｗと同等以上の大きさを有する夾雑物については、不通過とさせるものであってもよいとされている。
【００２０】
このようにロータギャップＧからは被処理木材Ｗと同等以上の大きさの夾雑物を排除できないとしても、本実施形態では上記したようにサブロータ１０を傾斜させてある。そしてそのうえで、図５に示すように、この低レベル化させた側の端部寄りには、ロータギャップＧでは排除しきれなかった夾雑物の吐き出し部１６を設けてある。
この吐き出し部１６は、複数のシュート板２０，２１，２２を組み合わせて、夾雑物（図５中では符号Ｘで示した）が夾雑物コンベア１３上へうまく誘導されるようにしたものである。
【００２１】
このような吐き出し部１６が設けられているため、ロータギャップＧを通過できないほど大きな夾雑物等は、サブロータ１０の回転による振動に伴ってその低レベル側の端部へと誘導された後、この吐き出し部１６を経て夾雑物コンベア１３上へと集められることになる。
結果として、被処理木材Ｗに含まれている夾雑物は、その大きさが大きいものも小さいものも、全て夾雑物コンベア１３へと集められ、装置外へと搬出されることになる。
【００２２】
このような構成の木材処理装置１では、被処理木材Ｗに夾雑物が含まれていたとしても、この夾雑物は両ロータ２，１０間のロータギャップＧから篩い落とされたり、サブロータ１０の低位側端部の吐き出し部１６から吐き出されたりして、全て夾雑物コンベア１３上へと集められる。
従って、メインロータ２と加工部３との間で処理される被処理木材Ｗには夾雑物が含まれていないことになり、その結果、メインロータ２のノッチ７や加工部３が夾雑物によって破損するということは防止される。
【００２３】
また当然に、メインロータ２と加工部３との間を経て取り出される処理品には夾雑物が含まれていないので、この処理品を二次製品とするにしても、或いは更なる粉砕工程や焼却工程等へ送るにしても、何ら不都合は生じない。
ところで、本発明は、上記した実施形態に限定されるものではなく、実施の形態に応じて適宜変更可能である。
【００２４】
【発明の効果】
以上の説明から明らかなように、本発明に係る木材処理装置は、木材等の被処理木材を皮むきや粉砕など、種々処理するに際して、当初から被処理木材に含まれている不都合の原因となる得る夾雑物を排除できるようにして、装置の破損防止や夾雑物のない処理品の確保ができるようになっている。
【図面の簡単な説明】
【図１】本発明に係る木材処理装置の作用が理解しやすいように図２を簡素化し且つ拡大して示した図である。
【図２】本発明に係る木材処理装置の一実施形態を示した正面図である。
【図３】メインロータとサブロータとの位置関係を判りやすく示した側面図である。
【図４】加工部の一例を示す要部斜視図である。
【図５】吐き出し部を示した斜視図である。
【符号の説明】
１    木材処理装置
２    メインロータ
３    加工部
７    ノッチ
１０    サブロータ
１３    夾雑物コンベア
１６    吐き出し部
Ｗ    被処理木材
Ｇ    ロータギャップ
【図１】
2004154956.tif 000003
【図２】
2004154956.tif 000004
【図３】
2004154956.tif 000005
【図４】
2004154956.tif 000006
【図５】
2004154956.tif 000007